(57)【特許請求の範囲】
【請求項１】
間口を開閉する為に取付けた引戸又は折戸などの開閉装置の内側に装着されて、網戸としての機能を兼ね備えたカーテンの取付け構造において、上記カーテンは上端に沿って複数の上カギを取付けると共に下端に沿って複数の下カギを取付けた形態とし、上カギは上レールにスライド可能に遊嵌している上スライダーに連結すると共に下カギは下レールにスライド可能に遊嵌している下スライダーに連結した構造とし、またカーテンの下端部には帯状の補助カーテン生地を縫付けて二股に分岐すると共に分岐した内側生地片と外側生地片によって下レールを挟み込んで被覆した形態とし、上記上レールには内側にカーテンの上端部がめくれないように拘束する為の折り返し片を下方へ延ばし、さらに、上レール及び下レールの両端にはカーテンの側端部を収容することが出来るように断面を概略コ形とした縦枠を起立したことを特徴とするカーテンの取付け構造。
【請求項２】
上記上カギ及び下カギをリングなどの連結具を介して上スライダー及び下スライダーと連結した請求項１記載のカーテンの取付け構造。
【請求項３】
上記下レールには外側へ虫返しフィンを斜め下方へ延ばし、先端を垂直下方へ突出した請求項１、又は請求項２記載のカーテンの取付け構造。
【請求項４】
大きな間口に複数枚のカーテンを吊設した場合、一方のカーテンの縁には２枚の挟持片を設け、他方のカーテンの縁には被挟持片を形成し、上記両挟持片にて被挟持片を挟み込むと共に、離れないように止着手段を設けた請求項１、請求項２、又は請求項３記載のカーテンの取付け構造。
【発明の詳細な説明】
【技術分野】
【０００１】
本発明は引戸や折戸（折畳みドア）などの開閉装置に併設して、網戸としての機能を備えたカーテンの取付け構造に関するものである。
【背景技術】
【０００２】
カーテンは部屋の内装の１つとして装着されるが、外からの太陽光線を遮る目的を備えている。一般的なカーテンは引戸や折戸などの開閉装置の内側に配置され、上レールに遊嵌したスライダーに吊設され、該スライダーの移動と共に開け閉めすることが出来る。カーテンは上レールに吊設されるだけで、下端はフリーな状態と成っている為に、引戸又は折戸などを開くならば外から吹き込む風によってカーテン下部部は舞い上がる。
【０００３】
一方、引戸と共に装着される網戸の場合には、外から風を取り入れることが出来、その用途及び構造は上記カーテンとは全く異にしている。カーテンは部屋の内装を主たる目的としている為に、網戸と共に併用される場合も多い。すなわち、夏場では蚊やその他の虫の侵入を防止する為に、カーテンの他に網戸が装着されている。
【０００４】
このように、外からの光を遮り、外から風を入れ、しかし虫の侵入を防止する為には、カーテンの他に網戸を装着しなくてはならない。カーテンは開くことで片隅に収容されるが、網戸を開いても引戸と重なり合って間口を全開することは出来ない。
【０００５】
実開昭６２−１１８８９６号に係る「網戸兼用カーテン」は、窓と戸外との仕切、或いはマンションのベランダなどにおいて、ベランダ端の上下にわたって設ける網戸兼用カーテンである。
すなわち、鴨居又は長押と敷居などの如き上下の位置に固定されるべきカーテンレールは、ピン穴を有する適宜数の摺動駒を有し、該上下の摺動駒間に環体を介して張設されたカーテン地の左右両側辺及び時にはこれらと中央などに短冊型をした磁石付補強片が上下にわたって添装され、左右の柱又は壁などには磁石を吸引できる金属片又は磁石付の短冊型をした吸着板体が設けられている。
【特許文献１】実開昭６２−１１８８９６号に係る「網戸兼用カーテン」
【発明の開示】
【発明が解決しようとする課題】
【０００６】
このように、従来の網戸及びカーテンには上記のごとき問題がある。また上記実開昭６２−１１８８９６号に係る「網戸兼用カーテン」はその構造が余りに複雑であり、製作コストも高くなる。本発明が解決しようとする課題はこれら問題点であって、より簡単な構造にて構成し、網戸としての機能を備えたカーテンの取付け構造を提供する。
【課題を解決するための手段】
【０００７】
従来の一般的なカーテンは、その上端に複数個の上カギを等間隔で取付け、これら上カギは上レールに遊嵌してスライドする上スライダーに係止して吊設されているが、本発明では上レールの他に下側には下レールを敷設している。そして、下レールにも同じように下スライダーが遊嵌し、カーテンの下端に等間隔で取付けられた下カギは上記下スライダーに係止している。従って、カーテンを開閉する場合、上スライダーと同時に下スライダーも下レールに沿ってスライドすることが出来る。
【０００８】
そして、上レールには折り返し片を沿設している。該折り返し片は下方へ延びてカーテンの上端部が捲れないように拘束している。また、下レールには外側へ虫返しフィンを沿設しているが、この下レールの虫返しフィンは外方向へ延びている。また、カーテンの下端には帯状の補助カーテン生地を縫付けし、その為にカーテン下端部を２重構造（二股に分岐した形態）とし、下レールが収容される。さらに、上レールと下レールの先端には概略コ形断面の縦枠が起立し、カーテンの両側端を収容して拘束している。
【発明の効果】
【０００９】
本発明では下側に下レールを沿設し、カーテンは上レールに遊嵌した上スライダーと下レールに遊嵌した下スライダーに連結している。従って、カーテンを開閉する場合、上下スライダーが共にスライドすることが出来、カーテンの下端側が下スライダーと連結していることで、風が吹いても捲れ上ることはなく、網戸と同じように機能することが出来、隙間が発生しない。勿論、カーテン下端の下カギを下スライダーから分離するならば、従来の一般的なカーテンとなる。
【００１０】
そして、上レールには下方へ延びる折り返し片を沿設していることで、カーテンの上端部は上折り返し片によって拘束されて捲れることはない。また、下レールには虫返しフィンを形成していることで、外からの虫の侵入が防止される。さらに、両側には断面を概略コ形とした縦枠が起立している為に、カーテンの側端は縦枠に嵌って拘束されて隙間を生じないようにしている。
【図面の簡単な説明】
【００１１】
【図１】本発明に係るカーテンの取付け構造を示す正面図。
【図２】カーテン取付け構造を示す縦断面図。
【図３】上レールに上スライダーが遊嵌している状態。
【図４】下レールに下スライダーが遊嵌している状態。
【図５】虫返しフィンを形成した下レール。
【図６】縦枠にカーテンの側端部が収容されている場合。
【図７】複数枚のカーテンの接続構造。
【発明を実施するための形態】
【００１２】
図１は部屋の間口にカーテンを装着した場合の正面図を示しているが、同図の１はカーテン、２は上レール、３は下レール、４は縦枠をそれぞれ表している。上レール２は下側が開口した一定断面の長尺材であり、この上レール２には複数の上スライダー５，５・・・がスライド可能に遊嵌している。同じく下レール３は上側を開口した一定断面の長尺材であって、該下レール３には複数の下スライダー６，６・・・がスライド出来るように遊嵌している。
【００１３】
カーテン１の上端には上カギ７，７・・・が等間隔で取付けられ、これら上カギ７，７・・・は上スライダー５，５・・・に係止して連結している。また、カーテン１の下端には下カギ８，８・・・が等間隔で取付けられ、これら下カギ８，８・・・は下スライダー６，６・・・に係止して連結している。そして、間口の両側であって、上レール２及び下レール３の両端側には縦枠４，４が起立している。
【００１４】
ところで、カーテン１は開閉することが出来るが、この場合、上レール２に遊嵌している上スライダー５，５・・・は上レール２に沿ってスライドし、下レール３に遊嵌している下スライダー６，６・・・は下レール３に沿ってスライドすることが出来る。カーテン１は上レール２に吊設されていると共に、下端は下レール３に拘束され、風が吹いてもカーテン１の下端部が捲れ上がることはない。
【００１５】
図２は本発明に係るカーテン１の取付け構造の縦断面を示す実施例である。カーテン１の上端には上カギ７が取付けられ、カーテン１の下端には下カギ８が取付けられている。上カギ７及び下カギ８はカーテン生地に係止して取付けられるが、上カギ７及び下カギ８の具体的な形態及び材質は限定しないことにする。そして、上カギ７は上レール２に遊嵌しているスライダー５に連結している。
【００１６】
同図に示すスライダー５は両側にローラ９，９を備え、該ローラ９，９は上レール２の上レール片１０，１０に載って回転することで、スライダー５は移動することが出来る。下レール３には同図に示すように下スライダー６が遊嵌し、該下スライダー６に下カギ８が連結している。そして、下スライダー６には同じくローラ１１，１１が取付けられ、下レール片１２，１２に接して転動することが出来る。従って、カーテン１は上スライダー５，５・・・と下スライダー６，６・・・とに引張られて、ダブ付くことなく張設されている。すなわち、伸縮する網戸のように動作する。
【００１７】
ところで、図２ではカーテン１を上レール２に遊嵌した上スライダー５，５，５・・・及び下レール３に遊嵌した下スライダー６，６・・・に上カギ７，７・・・及び下カギ８，８・・・を連結することで装着している縦断面を示しているが、該カーテン１の外側（室外側）には引戸又は折戸（折畳みドア）などの開閉装置が取付けられている。同図においては、この開閉装置を省略した場合を示している。
【００１８】
図３は上レール２に遊嵌している上スライダー５の拡大図を示しているが、カーテン１の上端に取付けた上カギ７は上スライダー５の下端に設けた上リング１３に係止している。勿論、上リング１３を用いることなく、上カギ７を直接上スライダー５の下端に連結してもよい。そして、上レール２の内側（室内側）には折り返し片１４が下方へ延び、その為にカーテン１の上端部１５は該折り返し片１４に当って拘束され、めくれないように成っている。
【００１９】
図４は下レール３に遊嵌している下スライダー６の拡大図を示しているが、カーテン１の下端に取付けた下カギ８は下スライダー６の上端に設けた下リング１６に係止している。勿論、下リング１６を用いることなく、下カギ８を下スライダー６の上端に直接連結することも可能である。そして、下レール３の外側（室外側）には虫返しフィン１７が下レール片１２から斜め下方へ延び、外から虫が侵入することを阻止することが出来る。
【００２０】
本発明では、カーテン１の下端部に帯状の補助カーテン生地２１を縫付けており、その為にカーテン１の下端部は二股に分岐している。同図において、上記補助カーテン生地２１は外観を損なわない為にカーテン１の外面側に縫付けているが、内面側に縫い付けることも可能である。下端部を二股に分岐することで形成される内側生地片２２と外側生地片２３とで下レール３を挟み込んで被覆している。
【００２１】
従って、カーテン１を閉じるならば下レール３は外に露出せず、外観上は下レール３を備えない従来の一般的なカーテンのように見える。しかし、カーテン下端は下レール３に拘束されることで、外から吹き込む風によって該カーテン１が捲れ上ることはなく網戸として機能する。しかし、網戸とは異なりカーテン１を開くならば片方の縦枠側へ収容されて間口は全開する。
【００２２】
図５は下スライダー６が遊嵌していない状態の下レール３の断面を示している。下レール３には上記虫返しフィン１７が斜め下方へ延びている為に、虫が部屋に侵入することは出来ない。同図の点線は虫が移動するであろう軌跡を表しているが、虫は下レール３の側片１８に沿って上昇し、側片１８の上端に達した虫は虫返しフィン１７に沿って移動する。そして、虫返しフィン１７の先端は垂直下方へ延びている為に、虫は落下してしまう。
【００２３】
図６は縦枠４にカーテン１の側端部が収容されている横断面を示している。該縦枠４は断面を概略コ形とし、外側片１９と内側片２０を有し、外側片１９は内側片２０より大きく延びている。同図の○印はカーテン１の側端に取付けた上スライダー５の位置を示し、同図に示すようにカーテン側端部は縦枠４に収容されて、縦枠４にほぼ隙間なく密着することが出来る。
【００２４】
図７は大きな間口に２枚のカーテン１ａ，１ｂを吊設した場合の接続構造を示している。すなわち、複数枚のカーテン１ａ，１ｂ・・・を上レール２に吊設しただけでは、隣合うカーテン１ａ，１ｂ・・・間に隙間が発生するが、この隙間の発生を防止する為に同図に示す接続構造としている。同図の右側カーテン１ｂの縁には挟持片２４ａ，２４ｂを有し、両挟持片２４ａ，２４ｂによって左側カーテン１ａの縁の被挟持片２５を挟み込むことが出来る。
【００２５】
そして、挟み込んだ状態で離れないように挟持片２４ａ，２４ｂと被挟持片２５との間には面ファスナー２６又はボタンなどの止着手段を備えている。例えば、両挟持片２４ａ，２４ｂの内面に面ファスナーを取付け、同じく被挟持片２５の両面にも面ファスナー２６を取付けるならば、該面ファスナー２６を介して接続することが出来る。
【符号の説明】
【００２６】
１   カーテン
２   上レール
３   下レール
４   縦枠
５   上スライダー
６   下スライダー
７   上カギ
８   下カギ
９   ローラ
10   上レール片
11   ローラ
12   下レール片
13   上リング
14   折り返し片
15   上端部
16   下リング
17   虫返しフィン
18   側片
19   外側片
20   内側片
21   補助カーテン生地
22   内側生地
23   外側生地
24   挟持片
25   被挟持片
26   面ファスナー
【図１】
0005943270.tif 000002
【図２】
0005943270.tif 000003
【図３】
0005943270.tif 000004
【図４】
0005943270.tif 000005
【図５】
0005943270.tif 000006
【図６】
0005943270.tif 000007
【図７】
0005943270.tif 000008